Podtech/llm-jp-corpus-v4-ja_patent huggingface dataset:
(57)【要約】      （修正有）【課題】薬剤を使用することなく、環境や農作物に無害で、ナメクジの侵入を防止できる植木鉢を提供する。【解決手段】植木鉢１の上端面にドーナツ型の珪藻土の平板２を載置、あるいは鉢底面を珪藻土の平板に載置してなることを特徴とするナメクジの侵入を防止できる植木鉢であって、雨天時、平板をポリエチレン製袋カバーで覆う構造とする。【選択図】図１
0003235499.tif 000002
【実用新案登録請求の範囲】
【請求項１】
植木鉢の上端面にドーナツ型の珪藻土の平板を載置、あるいは鉢底面を珪藻土の平板に載置してなることを特徴とするナメクジの侵入を防止できる植木鉢。
【請求項２】
前記ドーナツ型の珪藻土の平板が珪藻土単一板からなり、その幅が７ｃｍ以上である請求項１に記載のナメクジの侵入を防止できる植木鉢。
【請求項３】
前記鉢底面を載置する珪藻土の平板が珪藻土単一板からなり、その外周端面から鉢底載置面までの距離が７ｃｍ以上である請求項１に記載のナメクジの侵入を防止できる植木鉢。
【請求項４】
雨天時、前記平板を樹脂製袋カバーで覆い、そのカバーの内外面および裾は、植木鉢本体および地面から離隔された構造にしてなる請求項１〜３のいずれか１項に記載のナメクジの侵入を防止できる植木鉢。
【考案の詳細な説明】
【技術分野】
【０００１】    本考案は、ナメクジの侵入を防止できる植木鉢の構造に係るものである。
【背景技術】
【０００２】  植木鉢に植えた植物の花芽、開いた花びら、また鉢に蒔いた種子から出てきた新芽を食い荒らすナメクジを遠ざける対策として、従来は、薬品が使用されている。例えば特許文献１にはメタアルデヒドを使用することが記載されている。
特許文献２には、カーバメイト系殺虫剤を使用することが記載されている。【０００３】  ナメクジ防除に薬剤を使用することは、環境汚染及び農産物の薬害汚染をもたらす可能性がある。
【先行技術文献】
【特許文献】
【０００４】
【特許文献１】実用新案登録番号第３０５５６８５号
【特許文献２】特開２００３−７０４０３
【考案の概要】
【考案が解決しようとする課題】
【０００５】  本考案は、かかる問題点に鑑みてなされたものであって、その目的は、薬剤を使用することなく、環境や、農作物に安全、無害にナメクジの侵入を防止できる農作物植栽用鉢の新規な構造を提供することである。
【課題を解決するための手段】
【０００６】  本考案者は、農作物のナメクジによる食害を防止すべく、鋭意研究を行った結果、珪藻土の板の上にナメクジを置くと、７ｃｍ程度進行する過程で死滅すること、又ナメクジは乾いた珪藻土の板には近づかないことを発見するに至った。【０００７】  本考案は、かかる研究成果を元になされたものである。
すなわち本考案は、植木鉢の上端面にドーナツ型の珪藻土の平板を載置、あるいは鉢底面を珪藻土の平板に載置してなることを特徴とするナメクジの侵入を防止できる植木鉢である。【０００８】  本考案植木鉢では、前記ドーナツ型の珪藻土の平板は珪藻土単一板からなり、その幅が７ｃｍ以上である。【０００９】  また、前記鉢底面を載置する珪藻土の平板は珪藻土単一板からなり、その外周端面から鉢底載置面までの距離が７ｃｍ以上である。【００１０】  本考案植木鉢は、雨天時の対策として、前記平板を樹脂製袋カバーで覆う構造にして珪藻土が濡れることを防止するものである。【００１１】  その際、樹脂製袋カバーの内外面および裾が、植木鉢本体、あるいは地面に接触していると、ナメクジが、この接触部から這い入り、袋カバーの内外面を伝って移動して、ついには、植木鉢の中の植物に到達することが可能になるので、袋カバーの内外面および裾は、植木鉢本体及び地面から離隔させ、空中に浮遊させる構造にすることが必須である。【００１２】  樹脂製袋カバーとしては、透明なポリエチレン製袋カバー等が好適である。
【考案の効果】
【００１３】  薬剤を使用することなく、環境や、農作物に安全、無害にナメクジの侵入を防止することができる。
【図面の簡単な説明】
【００１４】
【図１】植木鉢上端にドーナツ型の珪藻土の板を載置固定した構造の説明図
【図２】据置型植木鉢の底面を、正方形の珪藻土板に載置した構造の説明図
【図３】雨天時、植木鉢を覆うポリエチレン製袋カバーの構造の説明図
【図４】図３のＡ−Ａ側から見たポリエチレン製袋カバーの構造の説明図
【考案を実施するための形態】
【００１５】  本考案を実施するための形態を図面１〜４によって説明する。
【００１６】  実施の形態１
図１は、スタンド型植木鉢上端に、ドーナツ型の珪藻土の板を載置固定した構造の説明図である。
ナメクジが植木鉢の中に侵入するためには、ドーナツ型の珪藻土の板の上を通らなければならない。
珪藻土板の巾、つまり外径と内径の差の１／２を、７ｃｍ以上にすることで、珪藻土板に侵入したナメクジを、植木鉢の中に到達する前に、珪藻土板の上で死滅させることができる。
ドーナツ型の珪藻土板は、その内径側に珪藻土固定ピン３に差し込む構造にして植木鉢からの脱落を防ぐことができる。
【００１７】  実施の形態２
図２は、据置型植木鉢の底面を、正方形の珪藻土板に載置した構造の説明図である。
四角の珪藻土板の周囲から植木鉢の下端外周に至る最近接距離を、７ｃｍ以上にすることで、ナメクジが下端外周に到達する前に死滅させることができる。
【００１８】  実施の形態３
図３は、雨天時、植木鉢全体をポリエチレン製袋カバーで覆う構造の説明図であり、図４は、図３をＡ−Ａ面側から見た構造の説明図である。
図３、図４でポリエチレンの袋は、点線で示している。
植木鉢に立てたポリエチレン袋を横に広げる針金兼支柱７で、ポリエチレンの袋を支え、またポリエチレン袋を横に広げ、横に膨らませる。
ポリエチレン袋の裾は、地面に接触しない長さに調整され、空中に浮遊している。
これにより、ポリエチレン袋の内外面および裾は、植木鉢本体及び地面から離隔され、雨天時でも珪藻土板が濡れることを防ぐことができると共に、ナメクジの侵入を防止できる。
【産業上の利用可能性】
【００１９】  薬剤を使用せず、かつ長期間安定してナメクジの被害を防止でき、農産物の栽培、及び花卉栽培の分野に多大な貢献が可能である。
【符号の説明】
【００２０】１  スタンド型植木鉢
２  ドーナツ型珪藻土板
３  珪藻土板固定ピン
４  据置型植木鉢
５  珪藻土板
６  ポリエチレン袋（点線）
７  ポリエチレン袋を横に広げる針金兼支柱
８  ポリエチレン袋の裾外周（点線）
【図１】
0003235499.tif 000003
【図２】
0003235499.tif 000004
【図３】
0003235499.tif 000005
【図４】
0003235499.tif 000006
(57)【要約】      （修正有）【課題】従来の打ち込みナットＩＩより抜け止め、緩み止め強化を施すことで幅広い分野でコスト低減ができる、打ち込みナットを提供する。【解決手段】先端ガイドの緩いテーパー箇所に２山から３山のリング溝をいれ、抜け止め強度を強化し、廻り止めを強化する為に緩いテーパーつきの山角６０°のアヤ目ローレットを切ることで緩み強度、抜け止め強度を大幅に強化出来るようにした。【選択図】図６
0003235495.tif 000002
【実用新案登録請求の範囲】
【請求項１】
打ち込み時に打ち込みナットＩＩより相手材に入りやすいように、先端を緩いテーパ形状に加工し、かつ平面頭を付加することにより打ち込み時の力を平面頭部全体で受ける打ち込みナットＩＩＩである。
【請求項２】
打ち込みナットＩＩより緩み強度抜け止め強度を強化する為、先端の緩いテーパ箇所に２山から３山のリング溝を入れその上の外周に緩いテーパーつきの山角６０°のアヤ目のローレットを切った打ち込みナットＩＩＩである。
【考案の詳細な説明】
【技術分野】
【０００１】  本考案は従来の打ち込みナットＩＩより打ち込みやすくする為に平面頭をつけ緩み強度や抜け止め強度を強化する為に先端ガイドの緩いテーパー箇所に２山から３山のリング溝をつけ緩み止の強度を強化する為に外周に緩いテーパーつきの山角６０°のあや目ローレット切った打ち込みナットＩＩＩである。
【背景技術】
【０００２】  従来の打ち込みナットＩＩは先端ガイドをつけ外周に６条ねじを切りその６条ねじに立てに溝を入れた構造であった。
【先行技術文献】
【特許文献】
【０００３】
【特許文献１】
【非特許文献】
【０００４】
【非特許文献１】
【考案の概要】
【考案が解決しようとする課題】
【０００５】  打ち込みやすくする為に平面頭と先端に緩いテーパーをつけ抜き止めの強度を大幅に強化する為にリング溝を切り廻り止め強化に外周に緩いテーパーつきの山角６０°のアヤ目ローレットを切った。
【課題を解決するための手段】
【０００６】  先端ガイドの緩いテーパー箇所に２山から３山のリング溝をいれ抜け止め強度を強化し廻り止めを強化する為に緩いテーパーつきの山角６０°のアヤ目ローレットを切ることで緩み強度抜け止め強度を大幅に強化出来ることで広い分野で使用出来るようにした。
【考案の効果】
【０００７】  上述の様に、本考案の打ち込みナットＩＩＩは緩み強度及び抜け止めの強度を強化することで幅広い分野に使用が出来きコスト低減が様にした。
【図面の簡単な説明】
【０００８】
【図１】  平面に頭が無くネジ部に立て溝がある図面である。
【図２】  平面頭を付けた図面である。
【図３】  平面頭部で打ち込み時の平面積が大きい図面である。
【図４】  外周にアヤ目ロレットを付ける。
【図５】  先端ガイドの用途図面である。
【図６】  先端ガイドの強化図面である。
【考案を実施するための形態】
【０００９】  平面頭をつけることで打ち込み時全ての力が平行に受けるようにし打ち込みナットが垂直に入るようにした。又、先端ガイドの緩いテーパーで打ち込みナット入れやすいようにしリングの溝を入れることで抜け止め強度の強化をはかり外周に緩いテーパーつきの山角６０°のアヤ目ローレットを切る事で緩み強度を強くした。
【実施例】
【０００１０】  以下、添付図面に従って、実施例を説明する。
図１の１−Ａは平面頭がないため、打ち込み時に大きな力を加えないと入らない。また、１−Ｂが６条ねじで緩みやすい。１−Ｃは６条ねじに立て溝を入れてあるが緩み効果が弱い。１−Ｄは打ち込む時に垂直に打ちこめるようにしたガイドになっているが打ち込んだ後は相手材に密着が無い為全体の密着面が少ない。【０００１１】  図２の２−Ａは図３の３−Ａのように打ち込みナットＩＩは打ち込み平面積が小さい為打ち込み時の力が大きく必要とすることから図３の３−Ｂのように平面頭部をつけることで打ち込み面積を大きくし打ち込み時の力を平行に受ける事で垂直に入るようにした。【０００１２】  ２図の２−Ｂは打ち込みナットＩＩのように４図の４−Ａのように相手材にねじを切ってしまうと緩み強度が弱いことから外周に緩いテーパーの山角６０°アヤ目ローレットをきり４図の４−Ｂのように相手材にローレットを埋め込む事で廻り止めの強度を大幅に強化した。【０００１３】  ２図の２−Ｃは打ち込みＩＩように図５の５−Ａのガイドだけでは５図の５−Ｂのようにガイドが相手材に密着しない為に抜け止め効果が弱い。【０００１４】  ６図の６−Ａのように緩いテーパーガイドに溝を入れることで６図の６−Ｂのように相手材に溝が相手材に食い込み抜け止めの強度を大幅に強化した。
【図番の説明】
１  打ち込みナットＩＩの形状
２  平面頭部と外周にあや目ローレット及びガイドテイパー溝を成型した形状
３  平面頭部面積の小、大の比較形状
４  外周の６条ネジにあや目ローレットを成型した形状
５  先端ガイド形状
６  先端ガイドに溝成型した形状
【図１】
0003235495.tif 000003
【図２】
0003235495.tif 000004
【図３】
0003235495.tif 000005
【図４】
0003235495.tif 000006
【図５】
0003235495.tif 000007
【図６】
0003235495.tif 000008
【手続補正書】
【提出日】令和3年9月21日(2021.9.21)
【手続補正１】
【補正対象書類名】実用新案登録請求の範囲
【補正対象項目名】全文
【補正方法】変更
【補正の内容】
【実用新案登録請求の範囲】
【請求項１】
先端を緩いテーパー形状にして、相手材に入りやすくし頭部を平面状にすることで打ち込み時の力を減少させる事を特徴とする打ち込みナットである。
【請求項２】
前期先端に２山ないし３山の溝を入れ且つ、その上の全外周に山角６０°のアヤ目のローレットを切ることによって、抜け止め強度を増すことを特徴とする請求項１に記載の打ち込みナットである。
(57)【要約】      （修正有）【課題】「買い忘れ」や「慌て買い」を無くす次購入日表示具を提供する。【解決手段】次購入日表示具１は、使用開始日記入欄２、使用期間表示欄３と次購入日表示欄４を含む表示部を有する。消費者にとり消費材の「使用期間」と「次購入日」が特定できず不便をきたしていた課題を、最初の購入日又は「使用開始日」と内容物がなくなる最終日から逆算して「使用期間」を表示し、「次購入日」を付記した情報で、次期購入日を忘れる不安と不便を解決し、消費者が、消費材の「次購入日」が分かる。【選択図】図１
0003235498.tif 000002
【実用新案登録請求の範囲】
【請求項１】
消費者が一定頻度で使用する内容物が外から目視できない消費材の表面に、使用開始日、使用期間と次購入日を含む情報を表示する表示部を有することを特徴とする次購入日表示具。
【考案の詳細な説明】
【技術分野】
【０００１】  本考案は、消費材に消費行動管理の表示具に関し、特に消費者が一定頻度で使用する消費材の内、その内容物が目視できない消費材容器の消費材の次購入日を表示する次購入日表示具に関する。
【背景技術】
【０００２】  従来この種の表示具は、特許文献１に記載されるように、購入や開封、調理、冷凍、解凍、賞味期限に関する情報を表示できるラベルで表示するようになっていた。【０００３】  また、特許文献２に記載される表示具は、収納場所、食品名、賞味期限を記載できるシールであり、収納場所にシールとシールに記入できる筆記具を設置し、収納時に情報を記載するようになっていた。
【先行技術文献】
【０００４】
【特許文献１】特開２００５−６２２４６号公報
【特許文献２】実用新案登録３１００１５４号公報
【考案の概要】
【考案が解決しようとする課題】
【０００５】  従来この種の表示具は、特許文献１に記載されるように、購入や開封、調理、冷凍、解凍、賞味期限に関する情報を表示できるラベルで表示するようになっていた。
また、特許文献２に記載される表示具は、収納場所、食品名、賞味期限を記載できるシールであり、収納場所にシールとシールに記入できる筆記具を設置し、収納時に情報を記載するようになっていたので、従来の特許文献１および特許文献２記載の表示具は共に食品の消費管理に関する情報を表示しているだけであり、消費者が一定頻度で使用する消費材の管理、そのうち特に内容物が外から目視確認できないような消費材の消費管理に関する情報は提供できなかった。【０００６】  上記特許文献２は食品における「賞味期限」ラベルの表示にあるように、賞味期限は管理できるが「次購入日」情報表示部が無いのでつい購入日を忘れ日常生活の不便をきたす。従って当考案は食品にも利活用できるものである。
【課題を解決する手段】
【０００７】    本考案は上記事情に鑑みてなされたものであり、本考案の請求項１記載の次購入日表示具は、消費者が一定頻度で使用する内容物が外から目視できない消費材の表面に、使用開始日、使用期間と次購入日を含む情報を表示する表示部を有するようになっている。
【考案の効果】
【０００８】  本考案の請求項１記載の次購入日表示具は、消費者が一定頻度で使用する内容物が外から目視できない消費材の表面に、使用開始日、使用期間と次購入日を含む情報を表示する表示部を有するようになっているので、消費材の内容物が無くなり落胆し、慌てて購入することが無くなる。
【０００９】  内容物が目視できない消費材容器の場合、「使用期間」や「次購入日」が不明で、購入を忘れ慌てて購入する不便をきたしていた課題を解決する消費者が、消費材の「次購入日」が分かる表示具により、日々使用する消費財の内容量の有無の心配が解消される。
【００１０】  消費者が、消費材の「次購入日」が分かる表示具により、行き当たりばったり買いから、計画的な買い方で高額買いが無くなり、吟味買いができ買い物の楽しさを享受できる。
【図面の簡単な説明】
【００１１】
【図１】は本校考案の第一実施例の購入前及び購入時を示す、表示具図である。
【図２】は本考案の第二実施例の購入後から次購入日を示す、表示具図である。
【考案を実施するための形態】
【００１２】  以下、本考案を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
【００１３】  図１〜図２を用いて本考案を適用した購入前及び購入時の第一実施形態について説明する。図１は本考案を適用した購入前及び購入時を示す第一実施形態の次購入日表示具図である。図２は本考案を適用した購入後から次購入日を示す第一二実施形態の次購入日表示具図である。
【００１４】  図１にしめすように、消費者が一定頻度で使用する内容物が外から目視できない消費材の表面に、１  製造者で製造日２０２１．８．１が印字された状態で購入前及び購入時にある。消費者が購入した購入日と実際に使用開始する日が異なることもあるので、開封し使用する日を、２  使用開始日
２０２１．８．１０として記入する。当該消費材１個の内容量から内容物を使い終えた日か完了日２０２１．８．３０（表示記入可）から消費期間がわかり逆算すると、３  使用期間２０日間だと分かる。次に、一番知りたい次購入日が、４  次購入日２０２１．８．３０と明確に表示する表示部を有することを特徴とする、次購入日表示具。
【００１５】  消費者が自分又は家族及び団体の日常生活上の使用頻度の高い消費材や一定頻度で使用する消費材、例えば、日用品であるチューブ入り歯磨きを使い切っていた時、使用者の一人として使い切っていた場に遭遇したら、落胆と、腹立たしさ口惜しさが交錯し、日常の家庭生活及び職業生活に直接間接悪影響を及ぼすという課題を繰り返す。
また、誰かの買い忘れの記憶喪失を責め、自己責任だと責めることのないように、簡易な「使用開始日」と使用完了日から「使用期間」が分かりおのずと「次購入日」が分かる表示具に記録されなければ、この情報による生活のうるおいを倍加させることはできないし、「買い忘れ」や「慌て買い」が繰り返され、不幸で無駄な生活習慣から脱することはできない。
【００１６】  消費材の時期購入日表示具の表示部分のスペースが可能なら、上記の使い終えた日か完了日２０２１．８．３０（表示記入可）書きをする意味は、使用終了日や使用完了日から、当該消費材の使用期間が計算しやすく分かりやすい。
【符号の説明】
【００１７】１・・次購入日表示具
２・・使用開始日記入欄
３・・使用期間表示欄
４・・次購入日表示欄
【産業上の利用可能性】
【００１８】  内容物が目視できない消費材又は消費材内包容器に「製造日」のほかに製造者が消費者ニーズの「使用開始日又は購入日」「使用期間」「次購入日」情報を消費者が表示する表示部を有する特徴は、リピート購入と新規購入に繋がりにくい製造業の課題を解決する消費者が、消費材の「次購入日」が分かる表示具。
【図１】
0003235498.tif 000003
【図２】
0003235498.tif 000004
(57)【要約】      （修正有）【課題】足の血流を直接促進する血栓予防の足血流促進板を提供する。【解決手段】足血流促進板Ａ（足台板）は、材料板１と柔軟材質板を含み、材料板１は利用者の足裏よりも硬い材質で形成し、その裏面に反発力のある柔軟材質板を設けた。材料板１と柔軟材質板の任意一方の表面に滑り止め部材２を設ける。【選択図】図１
0003235435.tif 000002
【実用新案登録請求の範囲】
【請求項１】
利用者が足を載せる足台板は複数層で構成し、一層の表面は足裏よりも硬く柔軟性のある材料板と、他層は柔軟性と反発力のある柔軟板で形成し、その材料板と柔軟板任意一方の表面に滑り止めを設けたことを特徴とする主に靴用の足血流促進板。
【請求項２】
柔軟板の表面に、滑り止め材と固定手段を設けたことを特徴とする請求項１記載の主として下駄用の足血流促進板。
【請求項３】
スリッパ、室内用履物などに足を固定させる紐状物、足固定具などを設け、中敷きに、材料板、柔軟板を設け、それらに接着材などの取り付け手段を設け、保護材を取り付けたことを特徴とする請求項１、請求項２記載の足血流促進板。
【考案の詳細な説明】
【技術分野】
【０００１】  この考案は、血栓予防の足血流促進板に関するものである。
【背景技術】
【０００２】  足の血流促進は、血栓症の予防に重要であり、足は第二の心臓とも呼ばれている
【考案の概要】
【考案が解決しようとする課題】
【０００３】  この考案は、足の血流を直接促進する血栓予防の足血流促進板を得ることを目的とするものである。
【課題を解決するための手段】
【０００４】  利用者の足裏よりも硬く全体として柔軟性のある材質で形成し、その裏面に反発力のある柔軟材料を設けたことを特徴とする足血流促進板、滑り止めを設けたことを特徴とする前記記載の足血流促進板とする。
【考案の効果】
【０００５】    靴底にこの考案の足血流促進板（中敷き、インソールなどに相当）を敷くことにより、歩行すると足裏面が圧迫、減圧を繰り返す筋肉ポンプ作用によって、足の血流が促進され、これにより命にかかわる血栓症が予防され、脳にも血流が促進されることにより、認知症の予防にも効果的である。靴以外にも下駄、草履、サンダル、スリッパなどにも使用できる。
【図面の簡単な説明】
【０００６】
【図１】  この考案の足血流促進板（足台板）の平面図である。
【図２】  図１の側面図である。
【図３】  この考案の足血流促進板を靴内に装備した図。
【図４】  この考案の足血流促進板を下駄に適用した図。
【図５】  この考案の足血流促進板のスリッパにおける説明図。
【図６】  この考案の足血流促進板のスリッパへの適用状態を示す図である。
【考案を実施するための形態】
【０００７】
【実施例】
【０００８】  図１は、この考案の足血流促進板における足台板Ａの平面図であって、図左側（前方）が足指側であり、図右側（後方）が踵部である。全体として左右一対の足形に形成されており、材質は硬質ゴム、硬質プラスチック、ベニヤ板、竹材などの材料板１で形成され、柔軟性を生じることにより、足裏にフイットするが、さらに足裏にフィットする滑り止部材２｛この際、横溝（２’）を設けてもよく、これらを組み合わせて渦巻き模様、曲線模様を形成してもよい｝が設けてある。図２（イ）、（ロ）は、図１の側面図であり、軟質材の柔軟板３が組み合わせられており、柔軟板３は材料板１の上に設けられてもよい。図３は靴４内にこの考案の足台板Ａを装備した図、５は靴底を示す。図４はこの考案の足台板Ａを下駄７に適用した図、８は鼻緒である。なお請求項２で述べた「固定手段」としては、接着材、釘打ち、縫着などの手段がある。【０００９】    そしてまた図６（イ）、（ロ）はこの考案の足台板Ａをスリッパ６にした図である。これは地震、火災、土砂崩れなど、深夜の真暗の緊急災害時、停電時などにおいて咄嗟に履いて外履きとなり、瓦礫などからの怪我を防ぐ。それら災害時において外履きとした場合、固定紐ａを解いて足首Ｙに巻き付けると安全となる。そして足台板Ａの表面に予め住所、名前ｎなどを記入しておけば、誰れのものかの目印となる。それは「てんでんこ（自分だけの意味の方言）」を想起させる。９は保護材層、  １０は接着材層である。固定紐ａの部分は、面ファスナー、ボタン、スナップでもよい。
【産業上の利用可能性】
【００１０】    靴底にこの考案の足血流促進板（中敷き、インソールなどに相当）を敷くことにより、歩行すると足裏面が圧迫、減圧を繰り返す筋肉ポンプ作用により、足の血流が促進されると共に、脳にも血流が促進され認知症の予防にも効果的であり、靴以外にも下駄、草履、サンダル、スリッパなどにも使用できる。因みにこの考案の足血流促進板は、昨今、靴が弾力を有することのみに関心が昂まる中で、逆に靴の中に足裏よりも硬いものを適用する発想で、足裏と足指先のを毛細血管（いわゆる足底筋と呼ばれる部分など）も刺激して、足の血流が促進される。
【符号の説明】
【００１１】Ａ  足台板
１  材料板
２  滑り止め部材
３  柔軟板
４  靴
５  靴底
６  スリッパ
７  下駄
８  鼻緒
ａ  固定紐、面ファスナー
ｂ  固定部位
Ｘ  足
Ｙ  足首
９  保護材層
１０  接着材層
【図１】
0003235435.tif 000003
【図２】
0003235435.tif 000004
【図３】
0003235435.tif 000005
【図４】
0003235435.tif 000006
【図５】
0003235435.tif 000007
【図６】
0003235435.tif 000008
【手続補正書】
【提出日】令和3年9月21日(2021.9.21)
【手続補正１】
【補正対象書類名】実用新案登録請求の範囲
【補正対象項目名】全文
【補正方法】変更
【補正の内容】
【実用新案登録請求の範囲】
【請求項１】
利用者が足を載せる足台板は複数層で構成し、一層の表面は足裏よりも硬く柔軟性のある材料板と、他層は柔軟性と反発力のある柔軟板で形成し、その材料板と柔軟板任意一方の表面に滑り止めを設けたことを特徴とする主に靴用の足血流促進板。
【請求項２】
柔軟板の表面に、滑り止め材と固定手段を設けたことを特徴とする請求項１記載の主として下駄用の足血流促進板。
【請求項３】
スリッパ、室内用履物に足を固定させる紐状物、足固定具を設け、中敷きに、材料板、柔軟板を設け、それらを接着する手段を設け、保護材を取り付けたことを特徴とする請求項１または請求項２記載の足血流促進板。
(57)【要約】      （修正有）【課題】ハミガキの使用前の整理整頓を徹底できるハミガキ用セット台を提供する。【解決手段】ハミガキブラシを入れる筒状部と、ハミガキ液を入れる筒状部と、コップを置くコップ台と、を一体化した。【選択図】図１
0003235433.tif 000002
【実用新案登録請求の範囲】
【請求項１】
その▲１▼  一目で一同場所で同時に使用できる。
その▲２▼  ハミガキ液を入れる筒を作成する
その▲３▼  ハミガキブラシを入れる筒を作成する
その▲４▼  コップを置く専用台を作成する
【請求項２】
その▲１▼  ハミガキブラシ入れやハミガキ液入とコップ等を同一入れものにすること。
その▲２▼  ハミガキ等の入れものを３点（ブラシ・液・コップ）と組合わせる。
その▲３▼  ハミガキブラシを筒に入れることができる。
ハミガキ液を筒に入れることができる。
コップを置くことができる。
【考案の詳細な説明】
【技術分野】
【０００１】
【背景技術】
【０００２】
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【        】
分別した上で一筒所にまとめることができる。
【課題を解決するための手段】
【        】
利用する場所はどこでも置ける。
【考案の効果】
【        】
ハミガキの使用前の同時整理整頓を徹底できる。
【図面の簡単な説明】
【        】
【図１】
【考案を実施するための形態】
【        】
【実施例】
【        】
【産業上の利用可能性】
【        】
【符号の説明】
【        】
【図１】
0003235433.tif 000003
【手続補正書】
【提出日】令和3年4月10日(2021.4.10)
【手続補正１】
【補正対象書類名】実用新案登録請求の範囲
【補正対象項目名】全文
【補正方法】変更
【補正の内容】
【実用新案登録請求の範囲】
【請求項１】
ハミガキ用セット台は、円筒（ハミガキブラシ）の３つ、円筒（ハミガキ液入れ）１つとコップ台をのせて円柱に加工した物である。
【手続補正２】
【補正対象書類名】明細書
【補正対象項目名】全文
【補正方法】変更
【補正の内容】
【考案の詳細な説明】
【技術分野】
【０００１】
【背景技術】
【０００２】
【図面の簡単な説明】
【０００３】
【図１】円すい上に筒（ハミガキブラシが入る）３つと筒（ハミガキ液が入る）１つのに、倒れないものとしてコップをもうける台の３組がセットになっている物の図である。
【手続補正書】
【提出日】令和3年7月7日(2021.7.7)
【手続補正１】
【補正対象書類名】実用新案登録請求の範囲
【補正対象項目名】全文
【補正方法】変更
【補正の内容】
【実用新案登録請求の範囲】
【請求項１】
ハミガキセット用とは使用するものを入れる筒と台を一つにすることである。
【手続補正書】
【提出日】令和3年9月24日(2021.9.24)
【手続補正１】
【補正対象書類名】実用新案登録請求の範囲
【補正対象項目名】全文
【補正方法】変更
【補正の内容】
【実用新案登録請求の範囲】
【請求項１】
ハミガキブラシを入れる筒状部と、ハミガキ液を入れる筒状部と、コップを置くコップ台と、を一体化したことを特徴とするハミガキ用セット台。
(57)【要約】      （修正有）【課題】不慮の降雨から容姿、着衣、貴重品等を保護したい時には、とりあえず肩幅強程度の範囲が降雨から防げれば急場を凌ぐことができる、簡易かつ瞬時に使用可能な常備携帯傘を提供する。【解決手段】常備携帯が可能で、簡易かつ瞬時に開閉が可能な折りたたまない常備携帯傘である。縦長２５ｃｍ、直径４ｃｍ程度のコンパクトな縦長サイズのスティックタイプとし、袋カバーから取り出して開くだけで瞬時に不慮の降雨を回避可能である。【選択図】図１
0003235443.tif 000002
【実用新案登録請求の範囲】
【請求項１】
縦長２５ｃｍ、直径４ｃｍ程度のサイズで、簡易に使用、収納が可能な常備携帯傘
【請求項２】
縦長１５ｃｍ、直径６ｃｍ程度のサイズで、簡易に使用、収納が可能な折りたたみ常備携帯傘
【請求項３】
請求項１，２の常備携帯傘それぞれのサイズに適合するスナップ類材付き袋カバー
【考案の詳細な説明】
【技術分野】
【０００１】  本考案は、縦長２５ｃｍ、直径４ｃｍ程度のサイズで、簡易に使用、収納が可能なスティックタイプの常備携帯傘である。また、このサイズの常備携帯傘を折りたたみ可能にしたタイプで、縦長１５ｃｍ、直径６ｃｍ程度になり、さらにコンパクトな常備の携帯が可能となる。
【背景技術】
【０００２】  縦長２５ｃｍ、直径４ｃｍ程度のコンパクトサイズのスティックタイプで、使用時に傘の親骨と中棒を伸長する手間がないので簡易に開閉可能であり、不慮な降雨を瞬時に防ぐことが可能となる。また、このサイズの常備携帯傘を折りたたみ可能にする事で、縦長１５ｃｍ、直径６ｃｍ程度のよりコンパクトなサイズになり、常備の携帯がさらに簡易になるので使用用途が拡大される。
【考案の概要】
【考案が解決しようとする課題】
【０００３】  折りたたみ傘を使用する場合、傘の親骨と中棒を伸長する必要があり、開閉に大変な手間がかかる。不慮な降雨の際、使用可能な状態にするまでの間に容姿、着衣、貴重品等が濡れてしまい修復が困難な状態に陥るケースが頻繁に見受けられる。また、使用後の収納時も元の状態に折りたたむのに大変な手間がかかり、元の状態に折りたたまないと雨露で周囲に大変な迷惑をかける事態を引き起こすので、簡易な携帯、使用が可能なコンパクトサイズの常備携帯傘があれば利便援助の提供に有効である。
【課題を解決するための手段】
【０００４】  不慮な降雨を一時的に回避するには肩幅程度の範囲が降雨から防げれば急場を凌ぐ事は可能なので、簡易な使用、携帯が可能なコンパクトサイズの常備携帯用の傘が有効である。本考案の常備携帯傘は折りたたまないで開閉する縦長サイズのスティックタイプなので簡易かつ瞬時に開閉が可能であり、不慮な降雨に簡易かつ瞬時に対応可能である。また、適応するサイズのスナップ付き袋カバーの併用により、簡易に傘の収納、携帯が可能となる。
【考案の効果】
【０００５】  縦長２５ｃｍ、直径４ｃｍ程度のサイズであれば、Ａ４サイズの書類収納目的のビジネス鞄にも常備携帯が可能で、不慮な降雨から簡易に精密機器や貴重品が保護できる。コンパクトなサイズのスティックタイプなので、ランドセル等にも常備携帯が可能で、子供でも不慮な降雨を簡易に避けることができる。また、このサイズの傘を親骨折りたたみ中棒縮長可能にすることで、３００ミリリットル程度のミニペットボトルサイズでの常備携帯が可能となり、小さなハンドバッグだけを所持する場合も、不慮な降雨から容姿、着衣、貴重品等を簡易に保護できる。
さらにこの常備携帯傘に適応するサイズの袋カバーの挿入口にスナップ類材を付けることにより不使用時には鞄の取っ手への結合が可能となるのでハンズフリーでの携帯が可能になる。また、使用時には傘の取っ手への結合が可能となり、袋カバーの紛失を回避することができる。
【図面の簡単な説明】
【０００６】
【図１】縦長２５ｃｍ、直径４ｃｍ程度のサイズの常備携帯傘
【図２】常備携帯傘に適応するサイズのスナップ類材付き袋カバー
【図３】縦長１５ｃｍ、直径６ｃｍ程度のサイズに折りたたみ可能な親骨折りたたみ中棒縮長の常備携帯傘
【図４】折りたたみ可能な常備携帯傘に適応するサイズのスナップ類材付き袋カバー
【実施例】
【０００７】  試作品を実用したところ、肩幅強程度の範囲だけで、急雨から容姿、着衣、貴重品等の保護が簡易に可能となった。不慮な降雨の際、精密機器や貴重品を所持している場合は簡易かつ瞬時に急雨からの保護が必要な事態となる。本傘は袋カバーから取り出して開くだけなので、簡易かつ瞬時に保護が可能となった。コンパクトなスティックタイプなのでランドセル等にも簡易に常備携帯が可能で、折りたたまないので子供でも簡易に使用できる。
【符号の説明】
【０００８】１  持ち手
２  収納袋カバー挿入口の結合用スナップ類材
【図１】
0003235443.tif 000003
【図２】
0003235443.tif 000004
【図３】
0003235443.tif 000005
【図４】
0003235443.tif 000006
(57)【要約】      （修正有）【課題】捕球が容易な野球グローブを提供する。【解決手段】野球グローブ１は、手挿入口１０と、親指挿入部１１と、人差指挿入部１２とを有し、該親指挿入部１１の捕球面側において、該人差指挿入部１２側から該手挿入口１０側まで設けられた親指側紐部２２を備える。【選択図】図１
0003235449.tif 000002
【実用新案登録請求の範囲】
【請求項１】
手挿入口と、親指挿入部と、人差指挿入部とを有する野球グローブであって、
前記親指挿入部の捕球面側において、前記人差指挿入部側から前記手挿入口側まで設けられた親指側紐部、
を備える野球グローブ。
【考案の詳細な説明】
【技術分野】
【０００１】
本考案は、野球グローブに関する。
【背景技術】
【０００２】
従来から図３に示すような野球グローブが知られている。
【０００３】
これに関し、特許文献１には、捕球面側の牛革の内側に設けられた緩衝用パッドを有し、当該緩衝用パッドにおいて低反発弾性材料の両側にカバー部材が設けられた野球グローブが開示されている。
【先行技術文献】
【特許文献】
【０００４】
【特許文献１】実用新案登録第３２１８７３７号
【考案の概要】
【考案が解決しようとする課題】
【０００５】
しかしながら、特許文献１に記載の技術では、野球グローブの土手部の内側に芯材が設けられているため、土手部に野球ボール（以下、ボール）が当たった場合にボールを弾き易く、使用者が土手部で捕球することが難しいという問題があった。
【０００６】
本考案はこのような課題に鑑みてなされたものであり、その目的は、捕球が容易な野球グローブを提供することにある。
【課題を解決するための手段】
【０００７】
本考案の第一態様に係る野球グローブは、手挿入口と、親指挿入部と、人差指挿入部とを有する野球グローブであって、前記親指挿入部の捕球面側において、前記人差指挿入部側から前記手挿入口側まで設けられた親指側紐部を備える。
【考案の効果】
【０００８】
本考案によれば、野球グローブの使用者は、容易に捕球できる。
【図面の簡単な説明】
【０００９】
【図１】本考案の一実施形態に係る野球グローブの背面図である。
【図２】本考案の一実施形態に係る野球グローブを捕球面側から見た図である。
【図３】従来の野球グローブを捕球面側から見た図である。
【考案を実施するための形態】
【００１０】
図１は、本考案の一実施形態に係る野球グローブ１の背面図である。また、図２は、本考案の一実施形態に係る野球グローブ１を捕球面側から見た図である。
【００１１】
図１に示すように、本実施形態に係る野球グローブ１は、手挿入口１０と、親指挿入部１１と、人差指挿入部１２と、中指挿入部１３と、薬指挿入部１４と、小指挿入部１５と、ウェブ部２０と、ポケット部２１と、親指側紐部２２と、小指側紐部２３とを含んで構成される。
【００１２】
手挿入口１０は、使用者の手を野球グローブ１に挿入するための挿入口であり、ポケット部２１に接する。
【００１３】
ポケット部２１は、使用者の掌が挿入される部位であり、手挿入口１０に接するとともに、親指挿入部１１、人差指挿入部１２、中指挿入部１３、薬指挿入部１４、小指挿入部１５及びウェブ部２０に接続される。
【００１４】
親指挿入部１１、人差指挿入部１２、中指挿入部１３、薬指挿入部１４及び小指挿入部１５は、それぞれ使用者の親指、人差指、中指、薬指及び小指が挿入される部位であり、それぞれポケット部２１に接続される。人差指挿入部１２及び中指挿入部１３は、紐によりそれぞれの先端同士が接続される。また、中指挿入部１３及び薬指挿入部１４は、紐によりそれぞれの先端同士が接続される。また、薬指挿入部１４及び小指挿入部１５は、紐によりそれぞれの先端同士が接続される。また、親指挿入部１１及び小指挿入部１５の内側には、フェルトなどで形成されている芯材が設けられる。当該芯材は、紐によって捕球面側の外側の皮革と縫合され固定される。
【００１５】
ウェブ部２０は、ボールが親指挿入部１１及び人差指挿入部１２の間から抜け落ちないようにするための部位であり、親指挿入部１１、人差指挿入部１２及びポケット部２１の間に設けられる。ウェブ部２０は、親指挿入部１１、人差指挿入部１２及びポケット部２１に接続される。
【００１６】
親指側紐部２２は、親指挿入部１１の捕球面側において、ポケット部２１との接続箇所に設けられる紐状の部位である。具体的には、親指側紐部２２は、親指挿入部１１の捕球面側において、ウェブ部２０側（もしくは人差指挿入部１２側）から手挿入口１０側に至るまでのポケット部２１との接続箇所に設けられる紐状の部位である。親指側紐部２２は、野球グローブ１の捕球面側の外側の皮革に縫合され、親指挿入部１１の内側に設けられた芯材がポケット部２１にはみ出ないように当該芯材を固定する。
【００１７】
小指側紐部２３は、小指挿入部１５の捕球面側において、ポケット部２１との接続箇所に設けられる紐状の部位である。具体的には、小指側紐部２３は、小指挿入部１５の捕球面側において、薬指挿入部１４側から手挿入口１０側に至るまでのポケット部２１との接続箇所に設けられる紐状の部位である。小指側紐部２３は、野球グローブ１の捕球面側の外側の皮革に縫合され、小指挿入部１５の内側に設けられた芯材がポケット部２１にはみ出ないように当該芯材を固定する。
【００１８】
以上のように構成される野球グローブ１は、親指側紐部２２によって親指挿入部１１の芯材を親指挿入部１１の内側に固定することによって、土手部を有さず、ポケット部２１が手挿入口１０まで延在する。
【００１９】
これにより、野球グローブ１は、ポケット部２１が手挿入口１０まで延在するため、ポケット部２１における手挿入口１０の近傍にボールが当たった場合にも、ボールの反発を抑制できる。したがって、野球グローブ１の使用者は、ボールを容易に捕球することができる。
【００２０】
なお、本考案は、上記した実施形態に限定されるものではなく、この考案の主旨を逸脱しない範囲で自由に変更できることは勿論である。あるいは、技術的に矛盾が生じない範囲で各々の構成を任意に組み合わせてもよい。
【符号の説明】
【００２１】
１：野球グローブ、１０：手挿入口、１１：親指挿入部、１２：人差指挿入部、２０：ウェブ部、２２：親指側紐部
【図１】
0003235449.tif 000003
【図２】
0003235449.tif 000004
【図３】
0003235449.tif 000005
(57)【要約】      （修正有）【課題】機能を落とさず廉価で、安全、軽量、耐水性も備えた折畳椅子を提供する。【解決手段】折畳椅子は、座面枠３と前脚１と後脚２とで構成されるフレームを有し、フレーム中の座面枠３に本質材以外の座板を介さずにクッション８を直接取付ける。【選択図】図１
0003235442.tif 000002
【実用新案登録請求の範囲】
【請求項１】
座面枠、前脚、後脚相互の連結方法に於いて、座面枠と前脚とは直接連結せず、座面枠両側に取付けた連結板を介して前脚と連結する機構を特徴とする折畳椅子。
【請求項２】
金属フレーム中の座面枠に木質材以外の座板を介せずクッションを直接取付ける事を特徴とする折畳椅子。
【考案の詳細な説明】
【技術分野】
【０００１】  折畳椅子の折畳機構と、座面クッションの構造に関する。
【背景技術】
【０００２】  一般の折畳方法は前後脚がシリンダーの作用で開閉する物と、前後脚上端を連結板で繋いだ物とが有る。【０００３】  座面クッションは、従来スポンジに人工皮革を被せ木繊維製等半硬質平板の上面から裏に廻して周囲数箇所タッカー打ちした座面をフレームに繋がる金属又はプラスチック製座板にビス止めしたもので有る。
【考案の概要】
【考案が解決しようとする課題】
【０００４】  開閉機構では、前記シリンダー式は機能としては優れるがコストと重量が増える。一方連結板方式は、当該部での指挟み危険と後脚上端部品の破損や脱落懸念が有る。【０００５】  前述のクッション構造では内部に雨水等が入ると中の平板が変形して使えなく成る。また座面枠には平板を受けるプラスチックか鉄板の別途取付けが必要でコストと重量が嵩む。
【課題を解決する為の手段】
【０００６】  フレームの折畳方法を工夫し前述の諸欠点無く、スムースに開閉出来る各部品の接続方法を採る。
【０００７】  一方座面クッションの取付け方については、前述の如きクッション材を平板に、それを座板に夫々取付ける方法から、防水処理木板にフェルトを乗せた上から被せた人工皮革を座面枠内側に直接取付ける方法を採る事に依り、座板１枚の省略と共に２度の取付けも１度で済む方法を採る。
【考案の効果】
【０００８】  機能を落とさず廉価で、安全、軽量、耐水性も備えた折畳椅子を提供出来る。
【図面の簡単な説明】
【０００９】
【図１】図１（Ａ）は考案折椅子の側面図と正面図である。図１（Ｂ）はその座面を上から見た平面図と図中ａ−ｂ矢視の断面図である。
【考案を実施するための形態】
【００１０】  以下、本考案の実施の形態を図１（Ａ）に基づいて説明する。
前述既存の連結板方式では、前後脚接続具７の直ぐ下で記号４の如き連結板で前後脚を繋いであり、前述の欠点が有ったので、座面枠３の両外側に連結板４の片端を取付け、他端の孔に前軸５を前脚１の左右共貫通状態に差込む。一方後脚２は座面枠３の後辺を貫通する軸６と連結する事により、座席は６を回転軸として開閉し、開時は前方軸５の上に乗っかる形となり座れる。
【００１１】  以下図１（Ｂ）に基づいて座面枠３へのクッションの取付け方法を説明する。
ベニヤ板８−３にスポンジ８−２を置き人工皮革８−１を被せて座面枠３に乗せ、同枠内に垂れ下がった皮革の四隅に半円形断面でアール曲げした鉄板１０を枠内から当てがい、リベットで固定する。
【符号の説明】
【００１２】１  前脚  ２  後脚  ３  座面枠  ４  連結板  ５  前軸  ６  後軸  ７  前後脚連結具
８  クッション  ８−１人工皮革  ８−２スポンジ  ８−３ベニヤ板
９  背凭れ    １０  皮革固定板
【図１】
0003235442.tif 000003
【手続補正書】
【提出日】令和3年9月16日(2021.9.16)
【手続補正１】
【補正対象書類名】実用新案登録請求の範囲
【補正対象項目名】全文
【補正方法】変更
【補正の内容】
【実用新案登録請求の範囲】
【請求項１】
座面枠と前脚と後脚とで構成されるフレームを有する折畳椅子で有って、前記フレーム中の前記座面枠に木質材以外の座板を介せずクッションを直接取付ける事を特徴とする折畳椅子。
(57)【要約】      （修正有）【課題】ガーゼや天然素材を重ね合わせ巾着形に縫い、手が届かない背中部を容易に洗い、泡立ちが悪い天然素材の泡立ちを良くする為、出し入れ可能なスポンジを本体袋に入れ、従来、体を洗った爽快感がないことや天然繊維の表面がほころびやすい欠点を重ね合わせて縫うことによって強固にする、ガーゼ天然繊維巾着ボディスポンジを提供する。【解決手段】本体１はガーゼ天然繊維を重ね合わせて縫っている表面である。絞る為の紐２、３で交互の穴６、７に通しもう一方の紐４は穴５に通す。全ての紐８、９、１０を結ぶことにより、長さを調節し両手で引っ張る事が可能になる。両紐はスポンジを入れて紐を引っ張り閉じた状態で、開閉は自由に出来る。表生地と内側生地を重ねて縫うので厚い構造になり表面が強く、手の届かない体の部分や背中部を容易に洗うことが可能で、スポンジの作用により泡立ちが良く爽快感が得られるので役立つ。【選択図】図１
0003235411.tif 000002
【実用新案登録請求の範囲】
【請求項１】
ガーゼや天然繊維を重ね合わせて四角形の袋状に縫い合わせて、両端に紐を通す穴を２箇所、反対側に１箇所作り、３箇所の全ての穴に紐を通しスポンジが出し入れできるよう巾着袋になるようにし、その中にスポンジを入れて紐を絞ったボディスポンジ。
【考案の詳細な説明】
【技術分野】
【０００１】  本考案はガーゼ天然繊維を重ね合わせて縫い、両端に３本の紐を通してスポンジを入れたボディスポンジに関するものである。
【背景技術】
【０００２】  入浴時に手の届かない背中等をスポンジで洗うことが出来ない。従って、体の前部は洗えるが全身を同時に洗うことができない。ガーゼ天然繊維は泡立ちが良くないので爽快感がなく、従来品は袋全体を縫い込んでいる為、袋の中のスポンジを出し入れできないので、スポンジを乾かすことが出来ない。
【考案の概要】
【考案が解決しようとする課題】
【０００５】  入浴時に背中部に手が届かない為、スポンジで背中部が洗えない事。中のスポンジが自由自在に出し入れでき、中に入っているスポンジの作用によりガーゼ天然繊維の泡立ちを良くして前述の欠点を解決しようとするものである。
【課題を解決するための手段】
【０００６】  本考案はガーゼ天然繊維を重ね合わせて四角形の袋に縫い、両端に紐を付け、紐の長さは成人が、手が届かない背中を洗うことが可能な長さに自由に調節できるようにフリーサイズにする。スポンジの出し入れが容易になるように四角形の袋は３本の紐付き巾着形に縫製することによって問題点を解決する。
【考案の効果】
【０００７】  肌が直接あたる部分を重ね合わして縫うことにより表面が厚くなり、その厚くなったガーゼ天然繊維を使うことにより肌の弱い方や敏感肌の肌に負担をかけず最適で、且つ、従来のガーゼ天然繊維よりも四角形の巾着にスポンジを入れることによって泡立ちが良くなり肌に優しいボディスポンジとして役立つ。
【図面の簡単な説明】
【０００８】
【図１】本考案のガーゼ巾着ボディスポンジの正面図である。
【図２】本ボディスポンジの斜面図である。
【図３】本ボディスポンジの紐を解きスポンジを入れた開口図である。
【図４】本ボディスポンジの真ん中をカットした一部欠断面図である。
【図１】
0003235411.tif 000003
【図２】
0003235411.tif 000004
【図３】
0003235411.tif 000005
【図４】
0003235411.tif 000006
(57)【要約】      （修正有）【課題】転倒し易いコップに装着し、コップの転倒を防止するコップ保持具を提供する。【解決手段】断面がＣ字状または半円形状の本体１に滑り止め２を設け、コップに装着することで転倒防止を可能とする。【選択図】図３
0003235291.tif 000002
【実用新案登録請求の範囲】
【請求項１】
断面がＣ字状または半円形状の本体に滑り止めを設け、コップに装着することで転倒防止を可能としたところを特徴とするコップ保持具。
【考案の詳細な説明】
【技術分野】
【０００１】  本考案はコップの転倒防止を目的にしたコップの保持具に関するものである。
【背景技術】
【０００２】  軽いコップを其のまま何も入れずテーブル等に置くと風、振動、及び少しの力等で転倒し易かった
【考案の概要】
【考案を解決しようとする課題】
【０００３】  軽いコップ等をテーブルに其のまま置くと少しの風や振動等で転倒し易かった、コップに重さを付加することで問題を解決することと、本考案の保持具は従来のものより小さいので収納場所が小さくて済むようになった。
【課題を解決するための手段】
【０００４】  本考案はコップの底部、上げ底の内側、側面等いずれかの部位に断面がＣ字状又は半円形状の本考案のコップ保持具を装着することで、風、振動及び小さな力による転倒を防止し問題を解決しようとするものである。
【考案の効果】
【０００５】  上述のように、本考案のコップ保治具は軽いコップ等に装着することでコップの接触面積が大きくなる事と重さが加わり安定し、少しの風、振動、力等では転倒し難くなり。又本考案のコップ保持具は柔軟性及び弾性があるのでコップの大きさが多少変わっても使用出来、コップの内容物が熱くても冷たくても保持具を持つことで断熱効果により素手でも持つことが出来、使用後は従来のものより小さいので収納場所も小さくて済み目的を達成することが出来る
【図面の簡単な説明】
【０００６】
【図１】本考案の本体斜視図である
【図２】本考案の正面図である
【図３】コップ側面に装着した本体斜視図である
【図４】コップ底部に装着した本体斜視図である
【考案を実施するための形態】
【０００７】  コップを側面又は底部から保持具開口部に挿入し周接するか、上げ底ある場合上げ底に保治具を周接することによってコップ底部が重くなるか、接触面積が大きくなることで少しの風、振動、接触等から転倒を防止出来、問題を解決している。
【実施例】
【０００８】  以下添付図面に従って実施例を説明する。１は弾力性のある合成樹脂、プラスチック叉は金属等の適宜素材の弾性体で作られたＣ字状、半円形状の本体で２は本体と同じ素材を加工するか，金属等、合成樹脂又は合成ゴム及びゴム、化学合成で作られた適宜素材のすべり止めで３の本体開口部に４のコップを側面か底部から挿入して周接するか、上げ底のあるものは上げ底に装着してもよい又滑り止めがなくても同等の効果を得る【０００９】  本考案の実施例は上述のごとき構成からなるものであるから、コップの側面、底部、上げ底部分などに装着するだけでコップは安定し転倒し難くなり、大きさが少し異なるコップにも使用できて使用後の収納場所も少なくて済む。
【符号の説明】
【００１０】１  本体
２  すべり止め
３  本体開口部
４  コップ
【図１】
0003235291.tif 000003
【図２】
0003235291.tif 000004
【図３】
0003235291.tif 000005
【図４】
0003235291.tif 000006